(57)【特許請求の範囲】
【請求項１】
生ゴミ等の被処理物と、土砂と、硫酸第一鉄および硫酸マグネシウムを混合比１：１で混合したものを主成分とし、硫酸根を加えてＰＨを１.７〜２に調整した処理剤とを投入する横長の処理槽と、該処理槽内において上記被処理物と、土砂と、処理剤とを攪拌する攪拌装置とを具備し、
上記処理槽は、一端部に被処理物と、土砂と、処理剤とを投入する投入口を有し、他端部の上部に排出口が形成され、排出側より投入側に向かって温風を吹き込む温風発生器が設けられており、
上記攪拌装置は、上記処理槽内に横方向に挿通されたシャフトと、該シャフトの軸方向にほぼ等間隔に、かつほぼ等角度づつずらせて、その先端部が螺旋を描くように取り付けられた多数の撹拌用羽根とにより構成され、微生物の活動によらないで生ゴミを処理することを特徴とするゴミ処理装置。
【発明の詳細な説明】
【０００１】
【発明の属する技術分野】
この発明は、生ゴミ等の被処理物を熟成して肥料化するゴミ処理装置に関し、特に、１つの処理槽と攪拌装置を用いて、投入された直後の新しい被処理物と、熟成の進んだ被処理物とが、処理槽内において、投入口から排出口に向かって、熟成の進行度合いに応じて配列されるように構成したものである。
【０００２】
【従来の技術】
食糧の廃棄物である生ゴミは、調理の時点で廃棄される調理残滓や食事後の食べ残しなどが混入しており、肉、魚、野菜、果物、穀類などが生の状態と加工後の状態で廃棄されている。そのため、腐敗の進行に伴い低級脂肪酸、低級アミン類、アンモニア、硫化水素などの悪臭成分が発生し、これらが複合した独特の臭気となり、ハエや雑菌の繁殖も含めた環境汚染源の一つとなっている。
【０００３】
そこで、従来より生ゴミ処理方法として、微生物による発酵や触媒作用を利用して、生ゴミを熟成させて堆肥化する各種の方法が提案されている。
【０００４】
【発明が解決しようとする課題】
生ゴミを堆肥化する処理方法として、微生物による有機物分解を利用した発酵による処理方法が提案されている。この発酵による処理方法は、生ゴミの堆肥化に２０〜３０日程度の長い処理期間を要し、悪臭を発生し、温度や処理物の内容によって分解むらが発生しやすく、完熟度が安定しないなどの問題があった。
【０００５】
特に、ニンニクや唐辛子を含む生ゴミは、ニンニクや唐辛子が殺菌作用を有しているので、微生物による処理方法を適用することは困難である。
【０００６】
そこで、この発明は、このような従来の処理方法を改善して処理時間を短縮するとともに、生ゴミ等の被処理物を品質の安定した肥料に変えて、生ゴミ等の被処理物を減量して資源化するために考えられたものである。
【０００７】
【課題を解決するための手段】
この発明のゴミ処理装置は、微生物の活動によらないで生ゴミを処理する装置であって、生ゴミ等の被処理物と、土砂と、硫酸第一鉄および硫酸マグネシウムを混合比１：１で混合したものを主成分とし、硫酸根を加えてＰＨを１.７〜２に調整した処理剤とを投入する横長の処理槽１と、この処理槽１内において被処理物と、土砂と、処理剤とを攪拌する攪拌装置２とを具備し、処理槽１は、一端部に被処理物と、土砂と、処理剤とを投入する投入口16を有し、他端部の上部に排出口17が形成され、排出側より投入側に向かって温風を吹き込む温風発生器３が設けられており、攪拌装置２は、処理槽１内に横方向に挿通されたシャフト21と、このシャフト21の軸方向にほぼ等間隔に、かつほぼ等角度づつずらせて、その先端部が螺旋を描くように取り付けられた多数の撹拌用羽根22とにより構成される。
【０００８】
この攪拌用羽根22は、断面の形状が長方形の板であって、スクリューのようにシャフトに対してねじることなく、板状の羽根22を厚みの薄い方向がシャフト21の軸線と直交するように取り付けられている。
【０００９】
【発明の実施の形態】
この発明のゴミ処理装置は、魚、肉、野菜などの生ゴミ等の被処理物を予め適当な大きさに粉砕する粉砕装置と、粉砕された生ゴミ等の被処理物に対して、土砂、処理剤（硫酸第一鉄、硫酸マグネシュームなど）、水などを添加して投入する処理装置とにより構成されている。
【００１０】
処理装置は、処理槽１と、攪拌装置２、処理槽１内に温風を吹き込む温風発生器３とにより構成される。
【００１１】
処理槽１は、図１の横断面図および図２の縦断面図に示すように、半円形の底面11と、側壁12と、先端の壁面13と、後端の壁面14と、蓋15とによって囲まれた横方向に細長い処理空間10を有している。さらに、この処理槽１の蓋15の先端の壁面13に近い部分には、生ゴミ等の被処理物、土砂、処理剤を投入する投入口16が設けられ、処理槽１の後端の壁面14の上部には、排出口17が設けられ、さらに、蓋15の排出口17に近い後端部には、処理空間10内に温風を吹き込む温風発生器３が設けられ、処理槽１の底面の外側には、被処理物を加温するヒータ４が設けられている。
【００１２】
この温風発生器３は、外部の空気を加熱して処理槽１内に供給することにより、処理に必要な空気の補給および加温を行うものである。
【００１３】
攪拌装置２は、処理槽１の半円形の底面11の軸心部に挿通され、両端の壁面13、14に設けられた軸受けで軸支されたシャフト21と、このこのシャフト21に、取り付けられた多数の撹拌用羽根22とにより構成されている。
【００１４】
多数の撹拌用羽根22は、図３の斜視図に鎖線23で示すように、各羽根22の先端部が螺旋を描くように、シャフト21の軸方向にほぼ等間隔に、かつ一定角度づつずらせて取り付けられている。
【００１５】
各撹拌用羽根22は、その断面の形状が長方形である板状の羽根であって、大きい曲げモーメントが得られるように、厚みの薄い方向がシャフト21の軸線と直交するようにシャフト21に取り付けられている。
【００１６】
そして、このシャフト21は、処理空間10の外に設けられた減速機付きモータ（図示せず）により低速度で回転させられる。
【００１７】
次に、このように構成されたゴミ処理装置によって生ゴミ等の被処理物の処理を行う動作について説明する。
【００１８】
集められた生ゴミ等の被処理物を粉砕機によって予め適当な大きさに粉砕してから、土砂、処理剤、水とともに処理槽１の投入口16へ投入する。
【００１９】
攪拌装置２を動作させて、撹拌用羽根22を回転させると、生ゴミ等の被処理物、水、土砂、処理剤が均一に混合される。
【００２０】
このとき、断面の形状が長方形である攪拌用羽根22は、スクリューのようにシャフト21に対してねじって取り付けられておらず、板状の羽根22を厚みの薄い方向がシャフト21の軸線と直交し、そして、羽根22の先端部が螺旋を描くように、シャフト21の軸方向にほぼ等間隔に、かつ、ほぼ等角度づつずらせて取り付けられているので、攪拌動作により被処理物が、処理槽１の長手方向に僅かづつ進行するように攪拌される。
【００２１】
すなわち、攪拌装置２は、主として羽根22の回転面において被処理物の攪拌を行い、処理槽１の長手方向に向かって混ざり合うことは殆どない。したがって、長時間かけて被処理物を排出口17の方に移動させるので、投入された直後の新しい被処理物と、熟成の進んだ被処理物とが、処理槽１内において、投入口16から排出口17に向かって、熟成の進行度合いに応じて配列されることになる。
【００２２】
生ゴミが発生するごとに投入動作を繰り返すと、処理空間10が、被処理物で充満されて、完熟した被処理物が排出口17より排出される。なお、処理中に水分が蒸発して失われた場合には、適当に水分を補充する。
【００２３】
温風発生器３により、外部の空気を加熱して処理槽１の排出口17側から吹き込むことにより、熟成処理に必要な空気の補給および加温を行うことができ、かつ、排出口17に接近した被処理物を乾燥させることができる。したがって、完熟した被処理物は、乾燥した粉末の状態（サラサラした砂状）で排出口17から排出される。
【００２４】
以上で説明した実施の形態においては、被処理物として生ゴミの処理について説明したが、落葉や、刈り取った雑草、刈り取った芝生、ヘドロ、家畜の糞尿などの処理にも適用することができる。
【００２５】
以上で説明したゴミ処理装置において使用する添加剤としては、硫酸第一鉄および硫酸マグネシウムを混合比１：１で混合したものを主成分とし、酸化防止のために硫酸根を加えてＰＨを１.７〜２に調整したものが適している。
【００２６】
このような処理剤と粘土質の土砂とを混合したものに生ゴミを混合し、適量の水を加えて約６０℃〜８０℃で１６時間〜３０時間加熱撹拌すると、生ゴミの悪臭が急速に除去され、農業肥料として有効な成分を土砂に付着させた土壌型の肥料にすることができる。
【００２７】
以上で、この発明のゴミ処理装置の実施形態を説明したが、このような実施形態は、単なる例示に過ぎず、この発明の要旨を逸脱することなく、種々の変形・変更が可能である。例えば、各撹拌用羽根は、板状の羽根に限ることなく、丸棒でもよいのである。
【００２８】
【発明の効果】
以上の実施の形態に基づく説明から明らかなように、この発明のゴミ処理装置によると、隔壁のない単一の処理槽を用いているにも拘わらず、投入された直後の新しい被処理物と、熟成の進んだ被処理物とが、処理槽内において、投入口から排出口に向かって、熟成の進行度合いに応じて配列させることができ、完熟した被処理物から排出できるという効果を奏することができる。
【図面の簡単な説明】
【図１】この発明のゴミ処理装置の概要を示す横断面図、
【図２】この発明のゴミ処理装置の概要を示す縦断面図、
【図３】シャフトに多数の羽根を取り付けた攪拌装置を示す斜視図である。
【符号の説明】
１  処理槽
２  攪拌装置
３  温風発生器
４  ヒータ
10  処理空間
11  半円形の底面
12  側壁
13、14  両端の壁面
15  蓋
16  投入口
17  排出口
21  シャフト
22  撹拌用羽根
【図１】
0003645173.tif 000002
【図２】
0003645173.tif 000003
【図３】
0003645173.tif 000004